(57)【要約】【課題】  運搬、その他、取り扱い中に直管型の廃蛍光管の損傷、破損等のおそれがなく安全を確保できるとともに安価な直管型廃蛍光管の回収運搬用容器を提供する。  【解決手段】段ボールシートで構成され、直管型廃蛍光管の複数を直立状態に収納する角筒状本体と、該角筒状本体の内部に嵌挿される井桁状のスペーサと、前記角筒状本体の上部分に被嵌される蓋体と、からなり、好ましくは、前記角筒状本体の深さが収納した直管型廃蛍光管の上部が突出する深さであり、好ましくは、前記井桁状のスペーサが複数に分割され、各スペーサを構成する一方向の片が他方向の片に比べて短く形成されてなる直管型廃蛍光管の回収運搬用容器。【選択図】図１
2019077483.tif 000002
【特許請求の範囲】
【請求項１】
段ボールシートで構成され、直管型廃蛍光管の複数を直立状態に収納する角筒状本体と、該角筒状本体の内部に嵌挿される井桁状のスペーサと、前記角筒状本体の上部分に被嵌される蓋体と、からなることを特徴とする直管型廃蛍光管の回収運搬用容器。
【請求項２】
前記角筒状本体の深さが収納した直管型廃蛍光管の上部が突出する深さであることを特徴とする請求項１に記載の直感型廃蛍光管の回収運搬用容器。
【請求項３】
前記井桁状のスペーサが複数に分割され、各スペーサを構成する一方向の片が他方向の片に比べて短く形成されてなることを特徴とする請求項１又は２に記載の直管廃型蛍光管の回収運搬用容器。
【請求項４】
前記蓋体が前記角筒状本体の上部を深く受け入れることを特徴とする請求項１，２又は３に記載の直感型廃蛍光管の回収運搬用容器。
【発明の詳細な説明】
【技術分野】
【０００１】
本発明は、直管型廃蛍光管の回収及び運搬に最適な容器に関する。
【背景技術】
【０００２】
直管型に限らず、蛍光管には有害物質の水銀が封入されており、使い古された蛍光管の取扱い及び廃棄あるいは再処理には注意が必要である。そこで、多くの廃棄装置あるいは再処理装置が提案されている。
【０００３】
本発明は、会社、工場、家庭、その他で使い古された直管型蛍光管を回収して廃棄工場あるいは再処理工場へ運搬する際に最適な容器に関する。
【０００４】
従来、廃蛍光管の回収装置として、四辺の長さ寸法が環状管の外径寸法相当で、高さが直管の規格長さ想到の箱体であって、該箱内四隅に環状管の外径と接する仕切り板を配置して隅スペースを直管収納部とし、中央部には環状管内径に接する中空の柱を配置して中空部を直管収納部とし、箱内面と前記仕切り板に内接するように、前記正四角柱に外接するように環状管を収納することを特徴とする廃蛍光管回収箱が提案されている（特許文献１）。
【先行技術文献】
【特許文献】
【０００５】
【特許文献１】特開２００５−７５５５５公報
【発明の概要】
【発明が解決しようとする課題】
【０００６】
前記の廃蛍光管回収箱は、直管及び環状管の両方を収納できる点において便利であるが、直管及び環状管の個数がそれぞれ揃わない場合には内部にガタつきが生じることが考えられる。また、図面等に記載されている直管型の廃蛍光管の収納状態では運搬時に損傷・破損等のおそれも考えられる。
【０００７】
本発明は、運搬、その他、取り扱い中に直管型の廃蛍光管の損傷・破損等のおそれがなく安全を確保することができ、安価に提供できる直管型廃蛍光管の回収運搬用容器を提供することを目的とする。
【課題を解決するための手段】
【０００８】
前記課題を解決するため、本発明は、段ボールシートで構成され、直管型廃蛍光管の複数を直立状態に収納する角筒状本体と、該角筒状本体の内部に嵌挿される井桁状のスペーサと、前記角筒状本体の上部分に被嵌される蓋体と、からなることを特徴とする（請求項１）。
【０００９】
本発明によれば、全体が段ボールシートで構成されるため、プラスチック等で構成するのに比べて安価であり、且つ軽量である。さらに、角筒状本体の内部に井桁状のスペーサを嵌挿することにより廃蛍光管間での接触が防止され、運搬中等における廃蛍光管の損傷・破壊が防止される。
【００１０】
さらにまた、予め、角筒状本体、井桁状スペーサ及び蓋体を折畳み可能に制作することにより、コンパクトに折り畳んで、使用前の保管及び運搬に必要なスペースを削減することができる。
【００１１】
本発明の実施の一形態は、前記角筒状本体の深さが収納した直管型廃蛍光管の上部が突出する深さであることを特徴とする（請求項２）。
【００１２】
この実施の一形態によれば、廃棄工場あるいは再処理工場に到着した後の直管型廃蛍光管の取出しが容易である。具体的には、作業員が汚染を防ぐための手袋を付けたままで収納された直管型廃蛍光管の突出部を把持して取出すことができる。
【００１３】
本発明の実施の一形態は、前記井桁状のスペーサが複数に分割され、各スペーサを構成する一方向の片が他方向の片に比べて短く形成されていることを特徴とする（請求項３）。
【００１４】
この実施の一形態によれば、段ボールシートの使用量を減少することができる。すなわち、前記角筒状本体の内部全体に井桁状スペーサを設ける場合に比べて前記一方向の片部分の短くした分だけ段ボールシートの使用量が減少される。しかもスペーサとしての隔離機能に影響を与えることがないものである。
【００１５】
本発明の実施の一形態は、前記蓋体が前記角筒状本体の上部分を深く受け入れる深さであることを特徴とする（請求項４）。この実施の一形態によれば、収納された直管型廃蛍光管の上部の突出部も十分にカバーされる。同時に、蓋体と角筒状本体との間の密着面積が十分に確保されて内部と外気とが完全に遮断される。
【発明の効果】
【００１６】
本発明によれば、運搬、その他、取り扱い中に直管型廃蛍光管の損傷・破損等のおそれがなく安全を確保することができ、さらに安価に提供できるものである。
【図面の簡単な説明】
【００１７】
【図１】本発明に係る直管型廃蛍光管の回収運搬用容器の分解斜視図である。
【図２】本発明に係る直管型廃蛍光管の回収運搬用容器の使用状態を示す一部切り欠き斜視図である。
【図３】井桁状のスペーサの使用状態及び折畳み状態を示す斜視図である。
【発明を実施するための形態】
【００１８】
直管型蛍光管は、長さ１２０ｃｍ（４０Ｗ）と長さ６０ｃｍ（２０Ｗ）の２種類が一般に使用されている。本発明はそれぞれの長さに適合するように制作して適用することができる。
【００１９】
図１は、本発明に係る直管型廃蛍光管の回収運搬用容器の分解斜視図である。図中、１は直管型廃蛍光管の複数を直立状態に収納する角筒状本体であり、２は前記角筒状本体１の内部に嵌挿される井桁状のスペーサ、３は前記角筒状本体１の上部分に被嵌される蓋体である。前記角筒状本体１、井桁状のスペーサ２及び蓋体３はいずれも段ボールシートで構成される。
【００２０】
前記角筒状本体１の深さは、図２に示すように、収納した直管型廃蛍光管４の上部が突出する深さであることが好ましい。なお、前記井桁状のスペーサ２は、図１、図２では複数（３個）に分割されている。
【００２１】
前記各井桁状スペーサ２は、それぞれ一方向の片２ａが他方向の片２ｂに比べて短く形成されている。その結果、短く形成された部分の段ボールシートの使用量を減少することができてコストダウンを図ることができる。さらに、前記井桁状スペーサ２は、図３（ａ）示すように広げること、図３（ｂ）に示すようにコンパクトに折り畳むことができる。
【００２２】
前記蓋体３は、比較的深く形成することが好ましい。その結果、収納された直管型廃蛍光管の上部の突出部も十分にカバーされ、蓋体と角筒状本体との間の密着面積が十分に確保されて角筒状本体１から外れたりすることがなくなり、内部と外部とを完全に遮断することができる。
【００２３】
図２は、本発明の使用状態を示す一部切り欠き斜視図であり、直管型廃蛍光管４の上部が前記角筒状本体１の上部から突出させられている。この構成により、廃棄工場あるいは再処理工場に到着した後の直管型廃蛍光管４の取出しがが容易である。
【符号の説明】
【００２４】
１    角筒状本体  ２    井桁状スペーサ  ３    蓋体  ４    直管型廃蛍光管
【図１】
2019077483.tif 000003
【図２】
2019077483.tif 000004
【図３】
2019077483.tif 000005